(57)【特許請求の範囲】
【請求項１】
トラクターの後部に装着されて、機体に作業者が乗り込んで種芋供給作業を行う構成であって、
前記機体の幅方向に沿って同一位置において斜上下方向に沿って配置された２つのプーリーを含む複数のプーリーの間に、多数の搬送板を一定間隔をおいて植設した搬送ベルトが掛装され、前記搬送ベルトは、前記機体に乗り込んだ作業者と対向する対向走行部が斜上方に向けて走行するように、側面視において周回走行され、
前記機体の走行と同期させて前記搬送ベルトを周回走行させて、前記対向走行部において作業者によって前記搬送板に載せられた種芋を、該搬送ベルトの下端の落下部まで搬送して一個ずつ落下させて植え付ける構成の種芋植付機において、
前記機体における前記作業者の位置する手前側の部分であって、しかも前記搬送ベルトの少なくとも一方の側方には、多数の種芋が収容可能であって、しかも機体に乗り込んだ作業者により、側方の搬送ベルトに植設された搬送板に種芋を落下供給させられる種芋供給テーブルが、作業者の側が低くなるように傾斜してそれぞれ設けられていると共に、前記対向走行部の搬送ベルトの傾斜角度は、前記テーブルの傾斜角度よりも大きくなっていて、前記対向走行部においては、搬送ベルトはテーブルの斜後下方からその斜前上方に向けて走行し、
しかも前記種芋供給テーブルを挟んで作業者と反対側には、種箱を設置可能な種箱設置枠が、前記種芋供給テーブルと略同一傾斜角度でそれぞれ設けられ、
前記種箱設置枠に傾斜姿勢で設置された種箱内の種芋を、該種箱の排出用開口より前記種芋供給テーブル上に自然排出させて、該種芋供給テーブル上から搬送ベルトの前記対向走行部に作業者の手先又は指先の招き動作により落し込んだ種芋を、斜上方に向けて走行する搬送板に載せて搬送する構成であることを特徴とする種芋植付機。
【請求項２】
前記種芋供給テーブルの斜下端縁には、テーブル上に収容された種芋が落下するのを防止する落下防止板が左右の各テーブルに連続して設けられて、種芋供給テーブルの斜下端縁であって、しかも機体の幅方向に沿って搬送ベルトが配置された部分に、種芋の供給開口が形成されていると共に、前記種芋供給テーブルの斜下端縁は、テーブル上に収容された種芋が、中央の搬送ベルトの部分に達し易いように、その両端よりも中央が低くなっていることを特徴とする請求項１に記載の種芋植付機。
【請求項３】
請求項１に記載の種芋植付機の種箱設置枠に設置される種箱であって、
設置状態において斜下端に配置される側面部は、内部に収容された種芋を排出させるために開口されていて、該種芋排出用開口は、箱本体に上下動可能に取付けられた閉塞板によって閉塞可能な構造になっていることを特徴とする種芋植付機に設置される種箱。
【発明の詳細な説明】
【０００１】
【発明の属する技術分野】
本発明は、多数の搬送板を取付けた搬送ベルトが、側面視において周回走行して、作業者と対向する対向走行部で種芋を供給する構成の種芋植付機、及びこれに設置される種箱に関するものである。
【０００２】
【従来の技術】
縦送り式の種芋植付機の基本構成は、「機体の幅方向に沿って同一位置において斜上下方向に沿って配置された２つのプーリーを含む複数のプーリーの間に、多数の搬送板を一定間隔をおいて植設した搬送ベルトが掛装され、前記搬送ベルトは、作業者と対向する対向走行部が斜上方に向けて走行するように、側面視において周回走行され、前記機体の走行と同期させて前記搬送ベルトを周回走行させて、前記対向走行部において作業者によって前記搬送板に載せられた種芋を、該搬送ベルトの下端の落下部まで搬送して一個ずつ落下させて植え付ける」ものである。
【０００３】
この縦送り式の種芋植付機においては、搬送ベルトと対向して座った作業者の手の届く範囲に種箱を設置して、機体に乗り込んだ作業者は、その対向走行部が斜上方に向けて周回走行する搬送ベルトに設けられた搬送板に対して一個ずつ種芋を載せ移して供給している。即ち、作業者は、その近辺に設置された種箱から一個ずつ種芋を取り出して、周回走行中の搬送ベルトの搬送板に載せる作業を繰り返し行う必要がある。そして、搬送ベルトの周回走行によって、斜下方から斜上方に向けて順次繰り出てくる全ての搬送板に対して種芋を欠かすことなく、載せ移すことが必要となる（一つの搬送板に対して種芋の載せ移しを欠いた場合には、この部分の種芋の植付間隔は２倍となってしまう）。
【０００４】
このように、作業者が種箱から一個ずつ種芋を取り出して、搬送ベルトの搬送板に連続して載せ移す作業は、この作業自体が途中で休むことのできない連続作業であり、しかもその載せ移しを欠いた場合には、上記事態となってしまうという心理的なストレスも加わるために、神経を使う結構きつい作業であった。
【０００５】
【発明が解決しようとする課題】
本発明は、作業者が機体に乗り込んで種芋の供給作業を行う縦送り式の種芋植付機において、その搬送ベルトに対する種芋の連続供給作業を楽にすることを課題としている。
【０００６】
【課題を解決するための手段】
上記課題を解決するための請求項１の発明は、上記構成の作業者が機体に乗り込んで種芋の供給作業を行う縦送り式の種芋植付機において、前記機体における前記作業者の位置する手前側の部分であって、しかも前記搬送ベルトの少なくとも一方の側方には、多数の種芋が収容可能であって、しかも機体に乗り込んだ作業者により、側方の搬送ベルトに植設された搬送板に種芋を落下供給させられる種芋供給テーブルが、作業者の側が低くなるように傾斜してそれぞれ設けられていると共に、前記対向走行部の搬送ベルトの傾斜角度は、前記テーブルの傾斜角度よりも大きくなっていて、前記対向走行部においては、搬送ベルトはテーブルの斜後下方からその斜前上方に向けて走行し、しかも前記種芋供給テーブルを挟んで作業者と反対側には、種箱を設置可能な種箱設置枠が、前記種芋供給テーブルと略同一傾斜角度でそれぞれ設けられ、前記種箱設置枠に傾斜姿勢で設置された種箱内の種芋を、該種箱の排出用開口より前記種芋供給テーブル上に自然排出させて、該種芋供給テーブル上から搬送ベルトの前記対向走行部に作業者の手先又は指先の招き動作により落し込んだ種芋を、斜上方に向けて走行する搬送板に載せて搬送する構成を特徴としている。
【０００７】
請求項１の発明によれば、種箱の傾斜配置により、種箱内の種芋は種芋供給テーブルの上に自然排出される。搬送ベルトと対向して座っている作業者は、搬送ベルトの周速に合わせて、種芋供給テーブルに収容されている種芋を、手先又は指先の軽い招き動作のみによって一個ずつ搬送ベルトの上方から落とし込むと、落とし込まれた各種芋は、対向走行部においてテーブルの斜後下方からその斜前上方に向けて走行する搬送ベルトの各搬送板に一個ずつ確実に供給される。よって、機体の速度が速くても、搬送ベルトの各搬送板に種芋を一個ずつ容易に、しかも確実に供給できるために、種芋の供給能率が高まる。即ち、搬送ベルトに対する種芋の供給動作は、手先、或いは指先の軽い招き動作のみであって、腕部を動かす必要がないので、従来の種芋の供給方法のように、種芋を一個ずつ掴んで、各搬送板に確実に載せ移すのに比較すると、種芋供給のための動作が格段に速くなる。この場合において、仮に特定の搬送板に対して種芋を載せられない場合が生じても、作業者の手は、常に搬送ベルトの近傍に位置しており、しかもこの部分には、多数の種芋が種芋供給テーブル上に収容されているので、近傍の種芋を掴んで、載せ忘れた搬送板に対して該種芋を短時間のうちに載せて供給できる。このため、従来のように、種箱から種芋を一個ずつ取り出して、搬送ベルトの各搬送板に対して一個ずつ載せ移す作業に比較すると、作業者に必要とされる手の移動範囲が著しく狭くなると共に、上記した心理的なストレスも半減させられるために、搬送ベルトに対する種芋の供給作業が楽となる。
【０００８】
また、請求項２の発明は、請求項１の発明を前提として、前記種芋供給テーブルの斜下端縁には、テーブル上に収容された種芋が落下するのを防止する落下防止板が左右の各テーブルに連続して設けられて、種芋供給テーブルの斜下端縁であって、しかも機体の幅方向に沿って搬送ベルトが配置された部分に、種芋の供給開口が形成されていると共に、前記種芋供給テーブルの斜下端縁は、テーブル上に収容された種芋が、中央の搬送ベルトの部分に達し易いように、その両端よりも中央が低くなっていることを特徴としている。
【０００９】
請求項２の発明によれば、種芋供給テーブルの上記形状と、作業中に受ける振動作用との相乗によって、種芋供給テーブルに収容されている多数の種芋は、該テーブルの最も低い部分である搬送ベルトの近傍に自然に集まるために、手先又は指先の招き動作によって、前記搬送ベルトに対して種芋を供給する作業が一層容易となる。
【００１０】
また、請求項３の発明は、請求項１に記載の種芋植付機の種箱設置枠に設置される種箱であって、設置状態において斜下端に配置される側面部は、内部に収容された種芋を排出させるために開口されていて、該種芋排出用開口は、箱本体に上下動可能に取付けられた閉塞板によって閉塞可能な構造になっていることを特徴としている。このため、閉塞板を上方に持ち上げる等して、斜下端（作業者を基準にすると、その手前側）に配置される側板部を開口させると、種箱内の種芋は、重力作用によって、自然に種芋供給テーブル上に排出されるので、作業者は、種箱から種芋を取り出す作業自体の必要もなくなる。なお、上記種箱の運搬・保管時等には、その特定の側板部に設けられた開口を前記閉塞板で閉塞して、種芋の排出を防止しておく。
【００１１】
【００１２】
【発明の実施の形態】
以下、実施例を挙げて、本発明について更に詳細に説明する。図１は、ロータリー耕耘装置Ｒに組み込まれた種芋植付機Ａの側面図であり、図２は、同じく平面図であり、図３は、種芋植付機Ａと種芋供給テーブルＴとの配置関係を示す斜視図であり、図４は、種芋植付機Ａの縦断面図であり、図５は、種芋落下案内管１９と耕耘軸５との軸方向に沿った配置を主体に示す図であり、図６は、種芋植付機Ａの動力伝動機構を示す図である。なお、図３は、一方の種箱設置枠２１の全体を図示可能にするために、該設置枠２１に設置される種箱２２の図示は省略してある。図１及び図２において、ロータリー耕耘装置Ｒの前部には、上側の１本の連結具１と、下側の一対（２本）の連結具２とが設けられ、各連結具１，２には、トラクター（図示せず）の後部に装着されたトップリンク３及びロワーリンク４がそれぞれ連結されて、ロータリー耕耘装置Ｒは、前記各リンク３，４を介してトラクターの後部に連結される。ロータリー耕耘装置Ｒは、図５に示されるように、横軸回転する耕耘軸５を備えており、該耕耘軸５に多数の耕耘刃６が取付けられている。ロータリー耕耘装置Ｒを牽引するトラクターのＰＴＯ軸（いずれも図示せず）の動力は、ユニバーサルジョイント７を介して耕耘装置Ｒ内の伝動装置（図示せず）に伝達されて、前記耕耘軸５が回転される構成になっている。
【００１３】
また、図１ないし図６において、ローター耕耘装置Ｒには、種芋植付機Ａが一体に組み込まれている。即ち、図６に示されるように、ロータリー耕耘装置Ｒの機体８の幅方向（横方向）の中央部であって、しかもロータリーカバー９（図５参照）よりも上方の部分には、左右一対のフレーム１１ａ，１１ｂが横方向に沿って所定間隔をおいて、機体８の進行方向Ｐに対して前傾姿勢で取付けられていて、各フレーム１１ａ，１１ｂの斜上端部及び斜下端部には、それぞれ上プーリー１２及び下プーリー１３が前記各フレーム１１ａ，１１ｂの間に配置されて、回転可能に支持されている。また、図３及び図４に示されるように、無端状の搬送ベルト１４には、一定間隔をおいて多数の搬送板１５が取付けられていて、該搬送ベルト１４は、前記した上下の各プーリー１２，１３の間に掛装されている。そして、種芋植付機Ａの後方には、これと対峙して作業椅子１６が設置されており、前記搬送ベルト１４は、前記下プーリー１３が駆動プーリーとなって、前記作業椅子１６に座って種芋供給作業を行う作業者Ｍと対向する対向走行部（手前側走行部）が斜上方に向けて走行するように、周回走行を行う。そして、搬送ベルト１４の対向走行部において、その搬送板１５の上に一個ずつ供給されて載せられた種芋Ｓは、この状態で、搬送ベルト１４の周回走行によって、上プーリー１２の部分まで搬送された後に、該上プーリー１２の部分において搬送方向を逆方向に変えられて、作業者Ｍと対向しない非対向走行部（奥側走行部）において、下プーリー１３の部分まで搬送される。
【００１４】
また、図３及び図４に示されるように、前記搬送ベルト１４の非対向走行部の前方及び両側方には、当該部分において斜後下方に向けて搬送される種芋Ｓの前方及び側方への落下を防止するための奥側落下防止カバー１７が設けられている。また、搬送ベルト１４の対向走行部の両側には、当該部分において搬送板１５に載せられた種芋Ｓが側方から落下するのを防止するための手前側落下防止カバー１８が設けられている。このため、搬送ベルト１４の手前側部分で搬送板１５に載せられた種芋Ｓは、上プーリー１２の部分で反転されることにより、斜後下方に走行する直前の搬送板１５の背面に載せ変えられて、前記奥側落下防止カバー１７に接触した状態で、そのまま下プーリー１３の部分まで搬送される。そして、図３ないし図５に示されるように、下プーリー１３のほぼ直下の部分であって、前記耕耘軸５の長手方向の中央部の直後方には、種芋落下案内管１９が、前記ロータリーカバー９を貫通し、しかも前記奥側落下防止カバー１７に接続された状態で、ほぼ垂直に配置されている。よって、下プーリー１３の部分まで搬送された種芋Ｓは、搬送板１５に対する支持を失って落下し、前記種芋落下案内管１９に案内されて、植付溝に定置される。
【００１５】
また、図１ないし図３に示されるように、前記種芋植付機Ａを構成する搬送ベルト１４の両側には、それぞれ種芋供給テーブルＴが、作業者Ｍの側が低くなるように傾斜して配置され、機体８の進行方向Ｐを基準にして、各種芋供給テーブルＴの手前側（作業者Ｍを基準にすると、奥側）には、それぞれ種箱設置枠２１が設けられ、各種箱設置枠２１には、それぞれ種箱２２が、前記種芋供給テーブルＴと略同一角度だけ傾斜して挿入設置される。前記種芋供給テーブルＴは、その斜下端に、収容された多数の種芋Ｓが落下するのを防止するフランジ状の落下防止板２３が、左右の各テーブルＴに連続した状態で設けられている。また、左右の各種芋供給テーブルＴは、これを一つのテーブルと見た場合に、その落下防止板２３の部分である斜下端縁は、該テーブルＴに収容された種芋Ｓが中央の搬送ベルト１４の部分に達し易いように、その両端よりも中央が低くなっていて、左右の各テーブルＴの中央に形成された供給開口２４の部分において、各搬送板１５は斜後下方から斜前上方に向けて順次繰り出てくる構成になっている。また、左右の各テーブルＴは、その幅方向の中央部であって、前記搬送ベルト１４と交叉する部分において連結され、このテーブル連結部２０（図２参照）の部分にも種芋Ｓを収容することができる。このため、種芋供給テーブルＴに載せられて収容されている種芋Ｓを手で掴み上げることなく、載せられたままの姿勢で、手先又は指の招き動作により落とし込んで供給するには、前記供給開口２４の両側方から落とし込む場合と、その後方の前記テーブル連結部２０の部分から落とし込む場合とがある。
【００１６】
また、前記種箱２２は、図８及び図９に示されるように、箱本体２５の短手方向の二つの側面部の一方のみが開口されていて、この種芋排出開口２６は、箱本体２５の残側板部５７の内側に配置された閉塞板３０によって閉塞可能になっている。この閉塞板３０は、その幅方向の中央部に上下方向の長孔４０が設けられ、該長孔４０に挿通された蝶ねじ５１を、前記残側板部５７のねじ挿通孔５２に挿通して、ナット５３と螺合させることにより、前記残側板部５７に対して閉塞板３０を固定している。よって、図７及び図８で実線で示されるように、閉塞板３０を上方に引き上げた状態で固定すると、箱本体２５の短手方向の一方の側面部には、種芋排出開口２６が形成されると共に、該閉塞板３０を引き下げて固定すると、前記開口２６は閉塞される。
【００１７】
このため、種箱２２に種芋Ｓを収容して搬送等する場合には、前記種芋排出開口２６を閉塞して行い、図３に示されるように、種箱設置枠２１に種箱２２を設置して、種芋Ｓの植付作業を行う場合には、閉塞板３０を引き上げて、その種芋排出開口２６を開口させると、種箱２２内の種芋Ｓは、傾斜による重力作用と、作業時に受ける振動作用とによって、その斜下方に配置された種芋供給テーブルＴの上に自然に排出される。
【００１８】
次に、図４及び図６を参照にして、上記した種芋植付機Ａの駆動機構について簡単に説明する。ロータリー耕耘装置Ｒの機体８の左右両端であって、しかも後端の部分には、ゲージホイール２７を支持するための一対のフレーム２８ａ，２８ｂが、僅かに前傾姿勢となって連結されて、各フレーム２８ａ，２８ｂの下端部に、それぞれゲージホイール２７が回転可能に支持されている。そして、ゲージホイール軸２９と、一方のフレーム２８ａに支持された第１中間軸３１の一端部とにそれぞれ取付けた鎖歯車３２，３３に無端鎖３４が掛装され、前記下プーリー１３の斜上方に前記搬送ベルト１４の間を貫通する形態で配置された第２中間軸３５の一端部と、前記第１中間軸３１の他端部とにそれぞれ鎖歯車３６，３７が取付けられて、各鎖歯車３６，３７に無端鎖３８が掛装され、更に、第２中間軸３５の他端部に取付けられた鎖歯車３９と、下プーリー軸４１に取付けられた鎖歯車４２との間に無端鎖４３が掛装されている。よって、ゲージホイール２７の回転力が前記鎖歯車伝動装置によって下プーリー１３に伝達されて、これを駆動回転させる。
【００１９】
また、上記ロータリー耕耘装置Ｒの後方には、左右一対の畦成形板４４と、マルチ作業機Ｂとが装着されている。即ち、左右一対の畦成形板４４は、ロータリー耕耘装置Ｒの左右の中心線に対して対称となって、前記耕耘刃６の後方に配置される。そして、直前の耕耘刃６により膨軟にされた土が、両側方から中央部に向けて寄せられて、植付溝（図示せず）に落下した種芋Ｓが覆土されると共に、畦立が行われ、その後に、畦立てされた畦の表面は、左右一対の前記畦成形板４４により所定形状に成形される。一方、マルチ作業機Ｂは、前記作業椅子１６のほぼ直下に設置されたフィルムロール４５と、該フィルムロール４５のほぼ直下に配置された２本のフィルム案内ロール４６，４７と、成形畦の表面を覆った直後のフィルム両端を押し付けるための一対の鎮圧輪４８と、これの後方に配置されて、フィルム両端に覆土するための覆土輪４９とを備えている。
【００２０】
引き続いて、上記した種芋植付機Ａの作用について説明する。ロータリー耕耘装置Ｒに一体に組み込まれた種芋植付機Ａの両側の各種箱設置枠２１には、それぞれ多数の種芋Ｓが収容された種箱２２が設置され、種芋植付機Ａに種芋Ｓを一個ずつ供給する作業者Ｍは、ロータリー耕耘装置Ｒに乗り込んでいる。この状態で、ロータリー耕耘装置Ｒは、トラクターにより牽引されて、ユニバーサルジョイント７を介して前記トラクターから前記耕耘装置Ｒに伝達された動力によって、耕耘軸５が回転する。これにより、ロータリー耕耘装置Ｒが前進すると、土面に接地しているゲージホイール２７が回転して、その回転力が前記鎖歯車伝動装置によって、種芋植付機Ａの下プーリー１３に伝達され、該下プーリー１３と上プーリー１２とに掛装されている搬送ベルト１４が上記方向に周回走行する。
【００２１】
また、上記の状態でロータリー耕耘装置Ｒが牽引走行すると、各種箱２２に収容されている種芋Ｓは、該種箱２２の斜下端の種芋排出開口２６から排出されて、その斜下方に配置されている種芋供給テーブルＴの上に収容される。そして、多数の搬送板１５を取付けた搬送ベルト１４は、左右の各種芋供給テーブルＴの間の供給開口２４の部分を斜後下方から斜前上方に向けて走行し、耕耘装置Ｒに乗り込んでいる作業者Ｍは、片手又は両手を使用して、前記供給開口２４から順次斜上方に向けて繰り出てくる各搬送板１５に種芋Ｓを、手先又は指先の招き動作によって落とし込んで順次供給する。
【００２２】
そして、搬送ベルト１４の各搬送板１５に供給されて、これに載せられた各種芋Ｓは、上記したように、斜上方に向けて搬送されて、上プーリー１２の部分で反転されて、搬送ベルト１４の非対向走行部において、下プーリー１３の側に向けて搬送されて、該下プーリー１３の部分において、その支持を失って、種芋落下案内管１９に案内されて、植付溝に落下される。植付溝に落下された種芋Ｓは、耕耘刃６により膨軟にされた土が両側方から中央部に向けて寄せられることにより覆土されると共に、畦立が行われ、その後に、畦立てされた畦６１の表面は、左右一対の畦成形板４４により所定形状に成形される。その後に、フィルムロール４５から引き出されたフィルム６２によって、成形された畦６１の表面が被覆される（図７参照）。なお、ゲージホイール２７の回転と、搬送ベルト１４の周回走行は、同期しているので、植付溝に植え付けられる種芋Ｓの植付間隔（ピッチ）は、トラクターにより牽引されるロータリー耕耘装置Ｒの走行速度とは無関係に一定となり、前記第２中間軸３５の一端に取付けられる鎖歯車３６を歯数の異なるものと交換すると、前記植付間隔の変更を行える。
【００２３】
また、左右の各種芋供給テーブルＴは、これを一つのテーブルと見た場合に、その落下防止板２３の部分である斜下端縁は、該テーブルＴに収容された種芋Ｓが中央の搬送ベルト１４の部分に達し易いように、その両端よりも中央が低くなっているために、作業者Ｍは、供給テーブルＴ上の種芋Ｓを、左右の供給テーブルＴの中央部に設けられた供給開口２４の部分において、手先又は指先の招き動作によって軽く落とし込むのみで、搬送ベルト１４の各搬送板１５の上に種芋Ｓが一個ずつ確実に載せられて、供給される。また、不注意等によって、特定の搬送板１５に種芋Ｓを供給し忘れても、作業者Ｍの手は、常に搬送ベルト１４の近傍に位置しているので、その周辺の供給テーブルＴ上の種芋Ｓを掴んで、供給し忘れた搬送板１５に対して種芋Ｓの供給を簡単に行える。
【００２４】
また、上記実施例では、種芋植付機Ａの両側に種芋供給テーブルＴを配置してあり、両手を使用して種芋Ｓの供給を行える利点があるが、設置スペースが乏しい場合等には、種芋植付機Ａの一方側にのみ種芋供給テーブルＴを配置する構成にすることも可能である。また、上記実施例は、１条植の構成であるが、２台の種芋植付機Ａを併設させると、２条植を行える。更に、上記実施例では、トラクターの後方に装着されたロータリー耕耘装置に、本発明に係る種芋植付機を一体に組み込んで、トラクターにより牽引される構成であるが、搭載したエンジンによって機体が自走する構成にすることも可能である。更に、上記実施例は、作業者が進行方向前方を向いて作業を行う例であるが、作業者が進行方向後方を向いて作業を行うように種芋植付機を機体に組み込んだ構成においても、本発明は実施可能である。なお、作業者が進行方向後方を向いた姿勢で作業を行えるようにするには、種芋植付機に対する動力伝達部の一箇所に逆転装置を組み込むことにより、搬送ベルトは、作業者と対向する対向走行部が斜後上方に向いて走行可能となって、作業者は、マルチフィルムの終了の確認が可能となる。
【００２５】
【発明の効果】
本発明に係る種芋植付機は、上記構成であるので、作業者は、斜上方に向けて順次繰り出てくる各搬送板に対して種芋を、手先又は指先の招き動作のみによって前記種芋供給テーブルから落とし込むのみで供給できるために、従来のように、種箱から種芋を一個ずつ取り出して、搬送ベルトの各搬送板に対して一個ずつ載せ移す作業に比較すると、搬送ベルトの各搬送板に対する種芋の供給作業が著しく軽減される。また、不注意等により、種芋の供給を忘れても、その補給を簡単に行えるので、「各搬送板には、必ず一個の種芋を載せ移さなければならない」という心理的なストレスも半減させられる。
【００２６】
また、搬送ベルトに対して種芋を供給するのに必要な動作は、手先又は指先の招き動作のみで足りて、腕部を大きく動かす必要がなくなる。このため、種芋の供給を手早くできて、機体の速度を速くできるので、搬送ベルトに対する種芋供給の作業能率が著しく高まる。なお、多数の掬い板を備えて、上下方向に周回走行する搬送ベルトが、多数の種芋を収容したホッパー内を走行することにより、前記掬い板により種芋を１個ずつ掬い上げる構成の種芋植付機においては、機体速度を速くすると、種芋の掬い損じが発生して、その速度を上げることはできないが、本発明に係る種芋植付機では、上記したように、各搬送板に種芋を一個ずつ確実に、しかも迅速に供給できるので、機体速度を速くできて、種芋植付の作業能率が著しく高まる。
【図面の簡単な説明】
【図１】ロータリー耕耘装置Ｒに組み込まれた種芋植付機Ａの側面図である。
【図２】同じく平面図である。
【図３】種芋植付機Ａと種芋供給テーブルＴとの配置関係を示す斜視図である。
【図４】種芋植付機Ａの縦断面図である。
【図５】種芋落下案内管１９と耕耘軸５との軸方向に沿った配置を主体に示す図である。
【図６】種芋植付機Ａの動力伝動機構を示す図である。
【図７】種芋Ｓが植え付けられた畦６１の断面図である。
【図８】種箱２２の斜視図である。
【図９】同じく種芋排出開口２６の部分の縦断面図である。
【符号の説明】
Ａ：種芋植付機
Ｍ：作業者
Ｒ：ロータリー耕耘装置
Ｓ：種芋
Ｔ：種芋供給テーブル
８：ロータリー耕耘装置の機体
１２：上プーリー
１３：下プーリー
１４：搬送ベルト
１５：搬送板
１９：種芋落下案内管
２１：種箱設置枠
２２：種箱
２３：落下防止板
２４：供給開口
２６：種芋排出開口
【図１】
0003616310.tif 000002
【図２】
0003616310.tif 000003
【図３】
0003616310.tif 000004
【図４】
0003616310.tif 000005
【図５】
0003616310.tif 000006
【図６】
0003616310.tif 000007
【図７】
0003616310.tif 000008
【図８】
0003616310.tif 000009
【図９】
0003616310.tif 000010